Podtech/llm-jp-corpus-v4-ja_patent huggingface dataset:
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
空気流を利用するエネルギー発生装置であって、
ａ）風力増幅モジュール１４、
ｂ）塔状構造１２、
ｃ）該風力増幅モジュール１４に含まれ、少なくとも１つのタービン１６が配置されているハウジング２０、及び
ｄ）該少なくとも１つのタービン１６に含まれる、第１半径２５を有する近方ロータ２４、第２半径３０ａを有する遠方ロータ３０、近方チャネル２６及び遠方チャネル３２であって、該遠方ロータ３０への空気流に、該近方チャネル２６及び該近方ロータ２４を通過した空気流、及び、該遠方チャネル３２が提供する空気流が含まれるように配列されているもの
を含み、
ｅ）各タービン１６に、略同軸円上に間隔を設けて該近方ロータ２４及び該遠方ロータ３０が含まれることを特徴とするエネルギー発生装置。
【請求項２】
前記近方チャネル２６に、前記近方ロータ２４が実質的に中央に配置された近方開口部２２、並びに、コレクタとして作用する前記近方ロータ２４の前記第１半径２５よりも大きい半径を有する主要部２７ａ、及び、前記遠方ロータ３０と流動連通する追従部２７ｂを有する内面２７が含まれることを特徴とする請求項１に記載のエネルギー発生装置。
【請求項３】
空気流を前記遠方ロータ３０に導くために、前記遠方チャネル３２に、前記近方チャネル２６が配置された遠方チャネル開口部２８、及び、該近方チャネル２６とは間隔を設けて外側に面３３が含まれることを特徴とする請求項２に記載のエネルギー発生装置。
【請求項４】
前記遠方ロータ３０が、前記近方ロータ２４及び前記近方チャネル２６と軸方向に整列し、前記遠方チャネル３２から空気流を受けるように相対的に配置されていることを特徴とする請求項３に記載のエネルギー発生装置。
【請求項５】
更に、前記遠方ロータ３０と流動連通するように配置され、内部に空気が通過するスペ
ースを有する拡散器３５を含み、且つ、
ａ）塔状構造１２、
ｂ）前記少なくとも１つのモジュール１４を該塔１２に搭載する手段５８、
ｃ）前記エネルギー発生装置を支持及び強化する複数の構造要素８０、及び
ｄ）各前記少なくとも１つのタービン１６からエネルギーを移送するための伝動装置８４
を含むことを特徴とする請求項１に記載のエネルギー発生装置。
【請求項６】
空気流を前記遠方ロータ３０に導くように、前記遠方チャネル３２に、前記近方チャネル２６が配置された遠方チャネル開口部２８、及び、該近方チャネル３３とは間隔を設けて外側に面が含まれ、前記遠方ロータ３０が、遠方チャネル３２から空気を受けるように相対的に配置されていることを特徴とする請求項５に記載のエネルギー発生装置。
【請求項７】
前記近方チャネル２６に、更に、前記遠方ロータ３０及び前記遠方チャネル３２と流動連通している追従部２７ｂが含まれることを特徴とする請求項６に記載のエネルギー発生装置。
【請求項８】
空気流を利用するエネルギー発生装置であって、
ａ）少なくとも１つのタービン１６、
ｂ）各該少なくとも１つのタービン１６に含まれる近方ロータ２４、遠方ロータ３０、及び、略同軸円上に間隔を設けて該近方ロータ２４と該遠方ロータ３０を結合する手段１５２、
ｃ）空気流をまず該近方ロータ２４に導き、次に該遠方ロータ３０に導く内面２７を含む近方チャネル２６、及び
ｄ）空気流を該遠方ロータ３０へ導く遠方チャネル３２
を含むことを特徴とするエネルギー発生装置。
【請求項９】
更に、前記遠方ロータ３０と流動連通するように配置され、内部に空気が通過するスペースを有する拡散器３５を含むことを特徴とする請求項８に記載のエネルギー発生装置。
【請求項１０】
前記近方チャネル２６に、通常前記近方ロータ２４によって隔てられている主要部２７ａ及び追従部２７ｂが含まれ、前記遠方チャネル３２が該追従部２７ｂに開放されていることを特徴とする請求項８に記載のエネルギー発生装置。
【請求項１１】
空気流を利用するエネルギー発生装置であって、
ａ）少なくとも１つのタービン１６及びそのためのハウジング２０、
ｂ）各該少なくとも１つのタービン１６に含まれる近方ロータ２４であって、同軸円上に間隔を設けて遠方ロータ３０の上流側に位置するもの、
ｃ）該遠方ロータ３０に空気流を導く遠方チャネル２８、及び
ｄ）該遠方ロータ３０と流動連通する拡散器３５
を含むことを特徴とするエネルギー発生装置。
【請求項１２】
更に、前記近方ロータ２４よりも上流側に主要部２７ａを有し、前記該近方ロータ２４よりも下流側、及び該遠方ロータ３０よりも上流側に追従部を有する近方チャネル２６を含むことを特徴とする請求項１１に記載のエネルギー発生装置。
【請求項１３】
前記遠方チャネル３２が前記追従部２７ｂに開放されていることを特徴とする請求項１２に記載のエネルギー発生装置。
【請求項１４】
空気流を前記遠方ロータ３０に導くために、前記遠方チャネル３２に、前記近方チャネル２６が配置された遠方チャネル開口部２８、及び、該近方チャネル２６とは間隔を設けて外側に面３３が含まれることを特徴とする請求項１３に記載のエネルギー発生装置。
【手続補正書】
【提出日】平成20年12月4日(2008.12.4)
【手続補正１】
【補正対象書類名】明細書
【補正対象項目名】００１４
【補正方法】変更
【補正の内容】
【００１４】
図５に示すように、透明領域５２０はスライド５００自体の一部であり、不透明領域５１０は、例えばつや消しされた５１８または不透明素材でコーティングされたスライド５００の一部である。代替的に、不透明領域５１０は不透明な接着剤をスライドに塗ったり、例えばレーザエッチング、研磨、または他の適切な技術を利用してスライドの一部を他の部分よりも透明にするスライド処理などの、他の技術を利用して形成してもよい。不透明領域５１０は、スライドの素材、不透明領域５１０の素材、および不透明領域５１０を形成する方法に応じて、接着性または反射性を有してもよい。説明のために、限定するわけではないが、本明細書では、つや消しされた不透明領域について言及する。つや消し素材およびつや消しされた不透明部分５１８を形成する技術は、本技術分野で周知であるため、本明細書ではこれらについてさらに詳しく説明しない。 
【手続補正２】
【補正対象書類名】明細書
【補正対象項目名】００１５
【補正方法】変更
【補正の内容】
【００１５】
当業者であれば、不透明領域５１０は入射光線の１００％を吸収または反射せず、不透明領域５１０は少量の光を透過することは理解できるであろう。したがって、本明細書中の「不透明」についての言及は、完全に不透明な領域と、透明領域５２０よりも十分に透明でない領域を含むことを意味しており、センサが、透明領域５２０を透過する光と不透明領域５１０を透過する光とを検出および区別する。異なる透過特性を有するいずれの不透明領域５１０を使用するかは、例えばセンサの感度や、強さの異なる光を区別するセンサの能力により決定してもよい。 
【手続補正３】
【補正対象書類名】明細書
【補正対象項目名】００２７
【補正方法】変更
【補正の内容】
【００２７】
透明領域および不透明領域の異なる種類もまた使用できる。例えば、図５−８は、スライドの角部に配置された三角形の透明領域５２０を有するスライドを示しているが、透明領域５２０は、他の形状や大きさにすることができる。例えば、図１０は、不透明領域１０１４により部分的に囲まれている正方形の透明領域１０２０を有するスライド１０００を示している。不透明領域１０１０および１０１２は、透明領域１０２０とほぼ同じ形状および大きさとすることができる。図１１は、不透明領域１１１４により部分的に囲まれている長方形の透明領域１１２０を有するスライド１１００を示している。不透明領域１１１０および１１１２は、透明領域１１２０とほぼ同じ形状および大きさとすることができる。図１２は、不透明領域１２１４により部分的に囲まれている扇形の透明領域１１００を有するスライド１２００を示している。不透明領域１２１０および１２１２は、透明領域１１２０とほぼ同じ形状および大きさ、または、図１２に示すように他の形状および／または大きさにすることができ、不透明領域１２１０および１２１２は、光源６１０からの光６１２を遮断してもよい。 
【手続補正４】
【補正対象書類名】図面
【補正対象項目名】図５
【補正方法】変更
【補正の内容】
【図５】
2008528967.tif 000001
【手続補正５】
【補正対象書類名】図面
【補正対象項目名】図１３
【補正方法】変更
【補正の内容】
【図１３】
2008528967.tif 000002
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
ポリマーの表面でポリエチレンイミンとの反応により誘導体化されたエポキシ化またはハロゲン化ポリマー性樹脂粒子を含む、クロマトグラフィー媒体。
【請求項２】
ポリマー性粒子が、エポキシ化またはハロゲン化ポリスチレン、エポキシ化またはハロゲン化ポリアクリレートまたはポリメタクリレート、およびエポキシ化またはハロゲン化ポリジビニルベンゼンからなる群から選択されるポリマーを含む、請求項１に記載のクロマトグラフィー媒体。
【請求項３】
ポリマー性粒子が、エポキシ化またはハロゲン化ポリスチレン、エポキシ化またはハロゲン化ポリアクリレートまたはポリメタクリレート、およびエポキシ化またはハロゲン化ポリジビニルベンゼンからなる群から選択されるポリマーを含む、請求項２に記載のクロマトグラフィー媒体。
【請求項４】
ポリマーの表面でポリエチレンイミンにより誘導体化されたポリマー性樹脂粒子が、官能化剤と、ポリマー性樹脂表面上のポリエチレンイミンの末端アミノ基との反応により官能化される、請求項１に記載のクロマトグラフィー媒体。
【請求項５】
ポリマーの表面でポリエチレンイミンにより誘導体化されたポリマー性樹脂粒子が、官能化剤と、ポリマー性樹脂表面上のポリエチレンイミンの末端アミノ基との反応により官能化される、請求項３に記載のクロマトグラフィー媒体。
【請求項６】
官能化剤が、酸無水物、スルホン化剤、アルキル塩化物、および第四級アンモニウム官能性を含有するアルキル塩化物、並びにこれらの混合物からなる群から選択される、請求項４に記載のクロマトグラフィー媒体。
【請求項７】
官能化剤が、環状カルボン酸無水物、不飽和カルボン酸無水物、重亜硫酸塩、アルキル塩化物、アルキル無水物、第四級アンモニウム官能性を含有するアルキル塩化物およびこれらの混合物からなる群から選択される、請求項６に記載のクロマトグラフィー媒体。
【請求項８】
官能化剤が、グルタル酸無水物、コハク酸無水物、マレイン酸無水物、ナトリウムメタ−重亜硫酸塩、塩化ブチリル、酢酸無水物、酪酸無水物、（３−クロロ−２−ヒドロキシプロピル）トリメチルアンモニウムクロリドおよびこれらの混合物からなる群から選択される、請求項７に記載のクロマトグラフィー媒体。
【請求項９】
媒体が混合態様である、請求項１に記載のクロマトグラフィー媒体。
【請求項１０】
媒体が混合態様である、請求項４に記載のクロマトグラフィー媒体。
【請求項１１】
混合態様の媒体が、混合された第一級、第二級および第三級アミン交換部位を有する媒体、弱陰イオンおよび弱陽イオン交換部位の両方を有する媒体、弱陰イオン、弱陽イオンおよび強陽イオン交換部位を有する媒体、弱陰イオンおよび疎水性（逆相）交換部位を有する媒体、弱陰イオンおよび強陰イオン交換部位を有する媒体からなる群から選択される、請求項１０に記載のクロマトグラフィー媒体。
【請求項１２】
請求項１ないし請求項１１のいずれかに記載のクロマトグラフィー媒体を詰めた、クロマトグラフィー用カラム。
【請求項１３】
溶液を請求項１２に記載のクロマトグラフィーカラムに通し、溶液の成分を溶出することを含む、溶液の成分の分離方法。
【請求項１４】
溶液がタンパク質を含有する溶液である、請求項１３に記載の方法。
【手続補正書】
【提出日】平成20年12月8日(2008.12.8)
【手続補正１】
【補正対象書類名】特許請求の範囲
【補正対象項目名】全文
【補正方法】変更
【補正の内容】
【特許請求の範囲】
【請求項１】
アミノデキストランのコーティングを有し、そしてその中に包含される金属キレートを有するキャリアであって、この金属キレートが、キャリア１ミリグラム当たり少なくとも０.０６５μモルの量で存在し、このアミノデキストランコーティング密度が、平均してキャリア１ミリグラム当たり少なくともおよそ４５μｇであるキャリアを含む、イムノアッセイのシグナル産生成分としての使用に好適な組成物。
【請求項２】
金属キレートが、キャリア１ミリグラム当たりおよそ０.０６５μモル〜およそ０.１５０μモルの量で存在する、請求項１に記載の組成物。
【請求項３】
金属キレートが、ユーロピウム錯体を包含する、請求項１に記載の組成物。
【請求項４】
キャリアが、ラテックス粒子を包含する、請求項３に記載の組成物。
【請求項５】
イムノアッセイのシグナル産生成分としての使用に好適な組成物であって、この組成物が、
アミノデキストランでコーティングされ、そして以下の式：
Ｍ（Ｌ１）ｘ（Ｌ２）ｙ
を有する錯体をその中に包含したキャリア
を含み、ここで
Ｍは、ユーロピウム、テルビウム、ジスプロシウム、サマリウム、オスミウム及びルテニウムからなる群より選択される金属であり；
Ｌ１は、ＤＰＰ、ＴＯＰＯ、ＴＰＰＯからなる群より選択されるリガンドであり；
Ｌ２は、以下の式：
【化１】
2008528969.tif 000001
［Ｒは、１つ又はそれ以上の置換基であり、各々の置換基は、電子供与基を包含し；
ｎ＝２〜１０である］を有するリガンドを包含し、
ｘ＝１〜２であり；そして
ｙ＝２〜４である、
上記組成物。
【請求項６】
各々のＲが、Ｃ1〜Ｃ6アルキル、ジアルキルアミン、エーテル、チオエーテル及びアリールからなる群より独立して選択される、請求項５に記載の組成物。
【請求項７】
Ｍが、ユーロピウムを包含する、請求項６に記載の組成物。
【請求項８】
キャリアが、ラテックス粒子を包含する、請求項７に記載の組成物。
【請求項９】
ｎ＝３である、請求項５に記載の組成物。
【請求項１０】
ｘ＝１であり、そしてｙ＝３である、請求項５に記載の組成物。
【請求項１１】
ｎ＝７である、請求項５に記載の組成物。
【請求項１２】
Ｌ２が、以下：
【化２】
2008528969.tif 000002
を包含する、請求項５に記載の組成物。
【請求項１３】
Ｌ２が、以下：
【化３】
2008528969.tif 000003
を包含する、請求項５に記載の組成物。
【請求項１４】
Ｌ２が、以下：
【化４】
2008528969.tif 000004
を包含する、請求項５に記載の組成物。
【請求項１５】
Ｌ２が、以下：
【化５】
2008528969.tif 000005
を包含する、請求項５に記載の組成物。
【請求項１６】
Ｌ２が、以下：
【化６】
2008528969.tif 000006
を包含する、請求項５に記載の組成物。
【請求項１７】
コーティングが、デキストランアルデヒドを含む第二の層をさらに含む、請求項５に記載の組成物。
【請求項１８】
キャリアが、酸素受容体をさらに含む、請求項５に記載の組成物。
【請求項１９】
請求項１に記載の組成物をシグナル産生成分として用いてイムノアッセイを行うことを含む、分析物を含むと推測される試験サンプル中でこの分析物の存在又は量を検出する方法。
【請求項２０】
イムノアッセイが、ルミネセンス酸素チャネリングイムノアッセイを包含する、請求項１９に記載の方法。
【手続補正２】
【補正対象書類名】明細書
【補正対象項目名】０００９
【補正方法】変更
【補正の内容】
【０００９】
本発明の一局面に従って、イムノアッセイのシグナル産生成分としての使用に好適な組成物が提供される。この組成物は、アミノデキストランのコーティングを有し、そして金属キレートで染色されるキャリアを含む。この金属キレートは、キャリア１ミリグラム当たり少なくとも０.０６５μモルの量で存在し、そして平均のアミノデキストランコーティング密度は、キャリア１ミリグラム当たり少なくともおよそ４５μｇである。
【手続補正３】
【補正対象書類名】明細書
【補正対象項目名】００２０
【補正方法】変更
【補正の内容】
【００２０】
このアミノデキストランコーティングは、特異的な結合アッセイにおいてキャリアの特異性を改善し、従ってイムノアッセイの感度を改善する。本発明の金属キレートが、少なくとも０．０６５μモルの高濃度で染料が存在するとき、予想外に、キャリア１ミリグラム当たり少なくともおよそ４５μｇの量のアミノデキストランによるキャリアのコーティングを可能とすることが発見された。本発明の一つの好ましい実施態様に従って、このアミノデキストランコーティングは、キャリア１ミリグラム当たり少なくともおよそ４９μｇで存在する。
【手続補正４】
【補正対象書類名】明細書
【補正対象項目名】００２２
【補正方法】変更
【補正の内容】
【００２２】
金属キレートは、公知の方法、例えば染色を通じてキャリアに包含される。この金属キレートは、蛍光シグナル又は化学ルミネセンスシグナルの検出を可能にする。この金属キレートは、比較的高い濃度の金属キレートが、キャリアへのアミノデキストランコーティングの結合を妨げないように選択される。本発明の一実施態様に従って、この金属キレートは、キャリア１ミリグラム当たり少なくとも０.０６５μモルの量で存在し、一方アミノデキストランの平均コーティング密度は、キャリア１ミリグラム当たり少なくともおよそ４５μｇである。本発明の別の実施態様において、この金属キレートは、キャリア１ミリグラム当たり少なくとも０.０６５μモル及びおよそ０.１５０μモル未満、より好ましくはキャリア１ミリグラム当たりおよそ０.０７９μモル〜およそ０.１５０μモル、そしてより好ましくはキャリア１ミリグラム当たりおよそ０.０８７μモルの量で存在する。本発明の別の実施態様において、この金属キレートは、およそ０.１１０μモル〜およそ０.１３５μモルの量で存在する。金属キレート及びアミノデキストランのこれらの濃度
は、目的の分析物に対する応答シグナル及び成分特異性との適切なバランスを提供することが見出されている。
【手続補正５】
【補正対象書類名】明細書
【補正対象項目名】００４０
【補正方法】変更
【補正の内容】
【００４０】
【表２】
2008528969.tif 000007
【手続補正６】
【補正対象書類名】明細書
【補正対象項目名】００４２
【補正方法】変更
【補正の内容】
【００４２】
対照的に、図４に示されるように、本発明の化合物は、わずか０.０６５ミリモル  Ｅｕ／ビーズｇで、アミノデキストラン濃度及びＬＯＣＩシグナルに関して両方プラトーになり始めた。この濃度で、平均のアミノデキストランコーティング濃度は、４９μｇ／ビーズｍｇであった。さらに、このアミノデキストラン濃度は一般的に、ユーロピウム濃度が増大するにつれて安定を保った。
【手続補正書】
【提出日】平成21年1月26日(2009.1.26)
【手続補正１】
【補正対象書類名】特許請求の範囲
【補正対象項目名】請求項２０
【補正方法】変更
【補正の内容】
【請求項２０】
温度感受性製品を目標温度範囲内に保持する方法であって、
請求項１〜１５のいずれかに記載の共晶プレートを用意すること、
共晶プレートを、温度管理環境に配置すること、
共晶プレートは、所望温度にあるか、又は所望温度範囲内であるかを、目視検査によって判断すること、
冷却共晶プレートを温度感受性製品と断熱容器に配置すること
を含む方法。
【手続補正書】
【提出日】平成21年1月23日(2009.1.23)
【手続補正１】
【補正対象書類名】特許請求の範囲
【補正対象項目名】全文
【補正方法】変更
【補正の内容】
【特許請求の範囲】
【請求項１】
手術前の見かけ上健康なヒト対象から得られた試験サンプルの分析方法であって、以下のステップ：
（ａ）NMDA受容体ペプチドまたは抗体あるいはその組み合わせの存在又は初期レベルについて前記ヒト対象から得られた試験サンプルを分析し；そして、
（ｂ）ステップ（ａ）の結果を、対応するNMDA受容体ペプチドまたは抗体あるいはその組み合わせの基準量と比較し、ここで、該対応する基準量は、見かけ上健康なヒト対象集団に由来する、
を含み、ここで、該方法により得られた分析結果が前記ヒト対象における脳卒中のリスクの評価を支援する、前記方法。
【請求項２】
請求項１に記載の方法であって、さらにここで、神経学的有害事象についての１つ以上のさらなるリスクファクターの存在の有無について前記患者が評価され；そして、前記１つ以上のさらなるリスクファクターの存在の有無が、手術による神経学的有害事象に罹る前記リスクと相互に関連付けられる、前記方法。
【請求項３】
請求項１に記載の方法であって、さらにここで、前記患者が手術による神経学的有害事象にかかるリスクを有する場合、
ｉ）神経保護療法が前記患者に投与されるか、又は
ｉｉ）神経学的有害事象のリスク又は発生をモニタリングするためのモニタリングプログラムが実施される、
前記方法。
【請求項４】
請求項１に記載の方法であって、さらにここで、前記患者が手術による神経学的有害事象にかかるリスクがある場合、
前記患者がＭＲＩによって定義される新たな梗塞域について分析され、そして該患者に神経外科手術が実施される、前記方法。
【請求項５】
前記神経学的有害事象が、限局性の虚血性神経学的事象である、請求項１に記載の方法。
【請求項６】
前記ＮＭＤＡ受容体ペプチドが、脳ＮＭＤＡ受容体のＮＲ２Ａサブユニットの断片、脳ＮＭＤＡ受容体のＮＲ２Ｂサブユニットの断片、又はその組み合わせを含む、請求項１に記載の方法。
【請求項７】
前記ＮＭＤＡ受容体ペプチドが、脳ＮＭＤＡ受容体のＮＲ２ＡサブユニットのＮ−末端ドメイン又はその断片、脳ＮＭＤＡ受容体のＮＲ２ＢサブユニットのＮ−末端ドメイン又はその断片、或いはその組み合わせを含む、請求項１に記載の方法。
【請求項８】
請求項１に記載の方法であって、ここで、
ａ）前記体液が血清であり；
ｂ）２．０、１．８、１．５又は１．０ng/ml超の、前記体液中のNR2A/B N-末端ドメイン抗体に相当する抗体の初期レベル、又は２００、１００、又は５０pg/ml超のNR2A/B N-末端ドメイン循環ペプチドに相当するNMDAペプチドのレベルが、前記神経学的事象にかかるリスクと相関し；そして
ｃ）２．０、１．８、１．５又は１．０ng/ml未満の、前記体液中のNR2A/B N-末端ドメイン抗体に相当する抗体の初期レベル、又は２００、１００、又は５０pg/ml未満のNR2A/B N-末端ドメイン循環ペプチドに相当するNMDAペプチドのレベルが、前記神経学的事象にかかるリスクと相関しない、
前記方法。
【手続補正書】
【提出日】平成21年1月7日(2009.1.7)
【手続補正１】
【補正対象書類名】特許請求の範囲
【補正対象項目名】全文
【補正方法】変更
【補正の内容】
【特許請求の範囲】
【請求項１】
悪性プラズマ細胞疾患の検出又はモニタリング方法であって、試料中の、
（ｉ）λ軽鎖と結合した重鎖クラスを有する免疫グロブリン、及び、
（ｉｉ）κ軽鎖と結合した同一重鎖クラスを有する免疫グロブリン
の相対量の比を検出することを含む方法。
【請求項２】
前記比が抗体又はその断片を用いるイムノアッセイにより決定される、請求項１記載の方法。
【請求項３】
前記比が
（ｉ）第１の軽鎖に対する特異性を有すると同時に重鎖クラスに対する特異性を有する抗体又はその断片を、以下の：
（ｉｉ）第２の軽鎖に対する特異性を有すると同時に重鎖クラスに対する特異性を有する抗体又はその断片、或いは
（ｉｉｉ）重鎖クラスに対する特異性を有する抗体又はその断片、並びに第２の軽鎖に対する特異性を有する更なる抗体又はその断片
と組合せて用いることにより決定される、請求項２記載の方法。
【請求項４】
前記比が
（ｉ）重鎖クラスに対して特異的な少なくとも1つの抗体又はその断片、
（ｉｉ）λ軽鎖に特異的な抗体又はその断片、及び
（ｉｉｉ）κ軽鎖に特異的な抗体又はその断片
を用いることにより決定される、請求項１記載の方法。
【請求項５】
前記抗体が重鎖サブクラス特異的である、前記いずれかの請求項に記載の方法。
【請求項６】
前記比が、前記抗体を含む免疫吸着アッセイを用いることにより決定される、請求項２〜５のいずれか一項に記載の方法。
【請求項７】
試料中における免疫グロブリンと抗体の結合が比濁計、濁度計、フローサイトメトリー又は蛍光標識ビーズを用いることにより決定される、請求項２〜５のいずれか一項に記載の方法。
【請求項８】
試料中の遊離λ軽鎖及び／又は遊離κ軽鎖の存在、及び／又は量を検出するステップを更に含む、前記いずれかの請求項に記載の方法。
【請求項９】
遊離λ軽鎖及び／又は遊離κ軽鎖が、該遊離λ軽鎖又は遊離κ軽鎖に特異的な抗体により検出される、請求項８記載の方法。
【請求項１０】
免疫グロブリン重鎖−軽鎖対に特異的である単離抗体又はその断片であって、軽鎖タイプに対する特異性を有すると同時に重鎖クラスに対する特異性を有することを更なる特徴とする単離抗体又はその断片。
【請求項１１】
ポリクローナル抗体である、請求項１０記載の抗体又はその断片。
【請求項１２】
ＩｇＧλ、ＩｇＧκ、ＩｇＡλ、ＩｇＡκ、ＩｇＭλ、ＩｇＭκ、ＩｇＤλ、ＩｇＤκ、ＩｇＥλ又はＩｇＥκに特異的である、請求項１０又は１１記載の抗体又はその断片。
【請求項１３】
前記抗体が重鎖サブクラス特異的である、請求項１０〜１２のいずれか一項に記載の抗体又はその断片。
【請求項１４】
Ｆａｂ又はＦ（ａｂ'）2である、請求項１０〜１３のいずれか一項に記載の抗体の断片。
【請求項１５】
請求項１０〜１４のいずれか一項に記載の複数のポリクローナル抗体又はその断片を含む組成物。
【請求項１６】
支持体上に固定される、請求項１０〜１５のいずれか一項に記載の抗体又はその断片。
【請求項１７】
前記支持体がポリスチレン及び／又はラテックスである、請求項１６記載の抗体又はその断片。
【請求項１８】
前記支持体がポリスチレンラテックスビーズである、請求項１７記載の抗体又はその断片。
【請求項１９】
前記支持体がマイクロアレイ又はマイクロタイタープレートである、請求項１６記載の抗体又はその断片。
【請求項２０】
標識されることを特徴とする、請求項１０〜１９のいずれか一項に記載の抗体又はその断片。
【請求項２１】
請求項１０〜２０のいずれか一項に記載の抗体又はその断片を含む、請求項１〜９のいずれか一項に記載の方法において用いるための免疫吸着アッセイキット。
【請求項２２】
請求項１０〜２０のいずれか一項に記載の抗体又はその断片を含む、請求項１〜９記載の方法において用いるための、フローサイトメトリーキット、蛍光標識ビーズ又はマイクロアレイキット。
【請求項２３】
異なる重鎖クラス及び／又は軽鎖タイプに特異的な２つの異なるタイプの抗体を含み、該異なるタイプの抗体が様々なサイズのビーズ上に支持及び／又は種々の検出可能なラベルで標識される、請求項２２記載のフローサイトメトリーキット、蛍光標識ビーズ又はマイクロアレイキット。
【請求項２４】
請求項１０〜２０のいずれか一項に記載の抗体又はその断片を含む、特異的免疫グロブリン分子の検出キット。
【請求項２５】
前記いずれかの請求項に記載の方法、抗体、断片、ビーズ又はキットを使用して、血液、尿又は血清の試料をアッセイすることを含む、悪性プラズマ細胞疾患の診断方法。
【手続補正２】
【補正対象書類名】図面
【補正対象項目名】図１６
【補正方法】変更
【補正の内容】
【図１６】
2008528995.tif 000001
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
ＦＢＧファイバおよび近赤外線測定セルのための少なくとも１つの光源と、測定部分を分光計に接続するための少なくとも１つの光学マルチプレクサと、少なくとも１つのＦＢＧファイバおよび近赤外線分光測定用の少なくとも１つのガラスファイバと、干渉計と、検出器と、信号解析／制御ユニットとから成る、材料濃度を測定する近赤外線分光法と、温度および／または温度プロファイルを測定する、ファイバブラッググレーティングを備えた光ファイバによる分光法とを機械的に結合した分光装置であって、測定部分のアウトプットと検出器との間にフーリエ変換分光計を配置することを特徴とする分光装置。
【請求項２】
別々の光源を、それぞれの適切な光学マルチプレクサを用いて、必要に応じ適宜、それぞれの測定部分に接続することが可能であることを特徴とする請求項１に記載の分光装置。
【手続補正２】
【補正対象書類名】明細書
【補正対象項目名】００２９
【補正方法】変更
【補正の内容】
【００２９】
図７では、図６にかかる構成を変更し、ファイバブラッググレーティングを備えたガラスファイバを照射するために、集光レンズ（または、コンデンサレンズ）を備えたハロゲンランプを用いた。図９は、これら装置により測定したファイバブラッググレーティングのスペクトルを示す。
さらに、本発明は以下の態様１〜１０を含む。
態様１：
ＦＢＧファイバおよび近赤外線測定セルのための少なくとも１つの光源と、測定部分を分光計に接続するための少なくとも１つの光学マルチプレクサと、少なくとも１つのＦＢＧファイバおよび近赤外線分光測定用の少なくとも１つのガラスファイバと、干渉計と、検出器と、信号解析／制御ユニットとから成る、材料濃度を測定する近赤外線分光法と、温度および／または温度プロファイルを測定する、ファイバブラッググレーティングを備えた光ファイバによる分光法とを機械的に結合した分光装置であって、測定部分のアウトプットと検出器との間にフーリエ変換分光計を配置することを特徴とする分光装置。
態様２：
別々の光源を、それぞれの適切な光学マルチプレクサを用いて、必要に応じ適宜、それぞれの測定部分に接続することが可能であることを特徴とする態様１に記載の分光装置。
態様３：
それぞれの測定部分が、光学マルチプレクサを用いずに、専用の光源を備えることが可能であることを特徴とする態様１に記載の分光装置。
態様４：
ガラスファイバの一端のみから、ファイバブラッググレーティングを備えた光ファイバによる分光法が実施可能であることを特徴とする態様１に記載の分光装置。
態様５：
分光学的に測定される部分の時間的順序を装置の制御ユニットにより自由に選択可能であることを特徴とする態様１に記載の分光装置。
態様６：
分光測定が、ファイバブラッググレーティングを備えたガラスファイバの透過光に対しても必要に応じ適宜実施可能であることを特徴とする態様１に記載の分光装置。
態様７：
ファイバブラッググレーティングを備えたガラスファイバによる分光測定用の光源として、ＳＬＥＤ、ＥＬＥＤまたは白熱灯を用いることが可能であることを特徴とする態様１に記載の分光装置。
態様８：
ファイバブラッググレーティングを備えたガラスファイバによる分光測定のために、多くの光源が、代替的にスペクトルを結合することを特徴とする態様１に記載の分光装置。
態様９：
材料濃度、および温度および／または温度プロファイルを測定するための工程の制御システムに、通常のデータパスを用いることを特徴とする態様１に記載の分光装置。
態様１０：
材料濃度、および温度および／または温度プロファイルを測定する方法であって、化学製薬産業、石油産業とりわけ精製の工程の処理装置、および食品加工産業の装置に、態様１〜９のいずれかに記載の分光装置を用いることを特徴とする方法。
【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
単語（ワード）に基づく抽選ゲームのプレーヤーから、当該プレーヤーに知られていない複数のプレーヤーしるし(player indicia)を受信するステップと、
前記プレーヤーが知られていないゲームしるし(game indicia)をランダムに生成するステップと、
前記プレーヤーしるし及び前記ゲームしるしを前記プレーヤーに提示するステップと、
前記複数のプレーヤーしるしと前記ゲームしるしを用いて複数の単語を形成するステップと、  前記複数の単語と、前記プレーヤーしるし及び前記ゲームしるしから形成される可能性のある全ての単語よりは少ない所定の賞金ワードのリストとが一致するかを比較するステップであって、前記賞金ワードのそれぞれは割り当てされた値を有する当該ステップと、
前記一致した賞金ワードのトータル値に従って前記プレーヤーに賞金を付与するステップと、
を含む、単語に基づく抽選ゲームを運営する方法。
【請求項２】
前記複数の単語と、リストされた前記所定の賞金ワードとの間の各一致に対して額面価格が割り当てられるステップとを更に含む請求項１に記載の方法。
【請求項３】
リストされた前記所定の賞金ワードのうちのあるワードは、前記額面価格を超える追加ボーナス値を有する請求項２に記載の方法。
【請求項４】
前記複数のプレーヤーしるしは、当該プレーヤーから見えず且つ文字(letters)及びワイルドカード(wildcard)シンボルを含む一組のしるし(indicia)から前記プレーヤーによってランダムに選ばれる請求項１に記載の方法。
【請求項５】
ゲームしるしを生成するステップは、文字(letters)及びワイルドカード(wildcard)シンボルを含む所定のしるし(indicia)の組から前記しるしをランダムに選択するステップを更に含む請求項１に記載の方法。
【請求項６】
文字及びシンボルを有するチケットをランダムに配置するステップと、
プレーヤーの入力に従って前記チケット上の文字及びシンボルから複数のプレーヤーしるしを選択するステップであって、当該文字及びシンボルはプレーヤーの入力の時には当該プレーヤーには知られておらず、且つ前記ゲームしるしの生成の後でプレーヤーに提示される当該ステップとを更に含む請求項１に記載の方法。
【請求項７】
前記プレーヤーに知られていない複数のプレーヤーしるし(player indicia)を受信するステップは、複数のセル位置の中からプレーヤー選択の複数のセル位置を、前記プレーヤーから受信することを含む請求項１に記載の方法。
【請求項８】
通信ネットワークと、
前記通信ネットワークと通信する少なくとも１つのゲーム機器と、
前記通信ネットワークを通じて前記少なくとも１つのゲーム機器と通信するサーバーと、を備えた単語に基づく抽選ゲームを開催するシステムであって、
抽選ゲームを開催する前記サーバーは、
プレーヤーから、そのプレーヤーに知られていない複数のプレーヤーしるし(player indicia)を受信し、
前記プレーヤーに知られていないゲームしるし(game indicia)をランダムに生成させ、
前記プレーヤーしるし及び前記ゲームしるしを前記プレーヤーに提示し、
前記複数のプレーヤーしるし及び前記ゲームしるしを用いて複数の単語を形成し、
前記複数の単語と、前記プレーヤーしるし及び前記ゲームしるしから形成される可能性のある全ての単語よりは少ない割り当て値付き所定の単語のリストとが一致するかを比較し、
比較結果に基づいて前記プレーヤーに賞金を付与する、
ことができる、ことを特徴とするシステム。
【請求項９】
前記サーバーが、前記複数の単語と、リストされた前記所定の単語との間の各一致に対して額面価格を割当てる請求項８に記載のシステム。
【請求項１０】
リストされた前記所定の単語のうちのある単語は、前記額面価格を超える追加ボーナス値を有し、且つ前記サーバーは、前記複数の単語と、リストされた前記所定の単語との間で一致した単語に対して前記追加ボーナス値を割り当てる請求項８に記載のシステム。
【請求項１１】
前記サーバーは、文字(letters)及びワイルドカード(wildcard)シンボルを含む一組のしるし(indicia)から、及び前記プレーヤーの入力から、前記複数のプレーヤーしるしをランダムに生成する請求項８に記載のシステム。
【請求項１２】
前記サーバーは、所定の文字(letters)の組から前記ゲームしるしをランダムに生成する請求項８に記載のシステム。
【請求項１３】
前記サーバーが、文字及びシンボルを有するチケットをランダムに配置し、且つプレーヤーの入力に従って前記チケット上の文字及びシンボルから複数のプレーヤーしるしを選択するように構成されている請求項８に記載のシステム。
【手続補正書】
【提出日】平成21年1月19日(2009.1.19)
【手続補正１】
【補正対象書類名】特許請求の範囲
【補正対象項目名】全文
【補正方法】変更
【補正の内容】
【特許請求の範囲】
【請求項１】
毛などの多様なくずを捕集するためのウェットワイプとして有用なクリーニングワイプであって、
第２の表面と反対側の作業表面を画定するウェブであって、前記作業表面が、少なくとも、第１の嵩高度および第１の高さを有する第１の領域、第２の嵩高度および第２の高さを有する第２の領域、ならびに第３の嵩高度および第３の高さを有する第３の領域を画定する、ウェブを含み、
第１の嵩高度＞第２の嵩高度＞第３の嵩高度、および
第１の高さ＞第２の高さ＞第３の高さである、
クリーニングワイプ。
【請求項２】
前記ウェブが、前記第１、第２、および第３の領域の材料組成物が同一であるような、均一な構造を有する、請求項１に記載のクリーニングワイプ。
【請求項３】
前記作業表面が、複数の前記第１の領域と、複数の前記第２の領域と、複数の前記第３の領域とを含み、さらに、第１の領域の隣接した対が、前記第２の領域の少なくとも１つおよび前記第３の領域の少なくとも１つによって分離される、請求項１に記載のクリーニングワイプ。
【請求項４】
前記作業表面を画定する前記ウェブが第１のウェブであり、前記クリーニングワイプが、
前記第１のウェブの第２の表面に連結された第２のウェブであって、前記第２のウェブが、前記クリーニングワイプの裏面を画定し、前記裏面が、工具への取付けのために適合される、第２のウェブをさらに含む、
請求項１に記載のクリーニングワイプ。
【請求項５】
毛などの多様なくずを捕集するためのウェットワイプとして有用なクリーニングワイプであって、
第２の表面と反対側の作業表面を画定するウェブであって、前記作業表面が、均一な材料構造を有し、かつ、
複数の横方向に延在する第１の領域、
複数の横方向に延在する第２の領域、および
複数の横方向に延在する第３の領域を画定する、
ウェブを含み、
前記第１、第２、および第３の領域が、隣接した第１の領域が第２の領域によって分離され、これらの隣接したものが前記第３の領域の１つによって分離される繰返しパターンで配列され、各第１の領域の幅が、各第３の領域の幅より大きく、
さらに、前記第１の領域の嵩高度および高さが、前記第２の領域の嵩高度および高さより大きく、前記第２の領域の嵩高度および高さが、前記第３の領域の嵩高度および高さより大きい、
クリーニングワイプ。
【手続補正書】
【提出日】平成20年12月24日(2008.12.24)
【手続補正１】
【補正対象書類名】特許請求の範囲
【補正対象項目名】全文
【補正方法】変更
【補正の内容】
【特許請求の範囲】
【請求項１】
生殖器腫瘍の診断方法であって、体液サンプル又は組織サンプル中のアファミン含量の測定を特徴とし、サンプル中のアファミン含量が、生殖器腫瘍の無い個人から採取したサンプル中のアファミン含量と比較して減少している場合に腫瘍が診断される、前記診断方法。
【請求項２】
腫瘍が精巣腫瘍又は卵巣腫瘍であることを特徴とする、請求項１に記載の診断方法。
【請求項３】
腫瘍が胚細胞腫瘍であることを特徴とする、請求項１又は２に記載の診断方法。
【請求項４】
腫瘍が、精上皮腫、非精上皮腫、胎生期精巣腫瘍、奇形腫、卵黄嚢腫瘍又は絨毛癌、及び上記腫瘍の混合型から選択されることを特徴とする、請求項１〜３のいずれか１項に記載の診断方法。
【請求項５】
腫瘍が、原発性上皮性卵巣腫瘍、特に嚢胞腺腫、嚢胞腺癌、又はブレンナー腫瘍、原発性間葉性卵巣腫瘍及び混合型腫瘍、特に卵巣線維腫又は腺線維腫、性索腫瘍、特に顆粒膜細胞腫瘍、莢膜細胞腫瘍、アンドロブラストーマ、又はギナンドロブラストーマ、胚細胞腫瘍、特に未分化胚細胞腫、奇形腫、類皮腫、卵巣甲状腺腫、胎芽性癌、多胎芽腫、内胚葉洞腫瘍、又は悪性絨毛上皮腫、転移性に生じた二次性卵巣腫瘍、特に乳癌、胃腸癌、又は子宮体癌由来のもの、並びに上記腫瘍の混合型から選択されることを特徴とする、請求項１〜３のいずれか１項に記載の診断方法。
【請求項６】
腫瘍が、胚細胞由来の精巣腫瘍、特に精上皮腫、精巣芽細胞腫（orchioblastoma）、奇形癌、絨毛癌又は部分的な精上皮腫との混合型腫瘍、inative、又は非胚細胞由来の精巣腫瘍、特に精巣間質の腫瘍、ライディッヒ細胞腫、セルトリ細胞腫、又は顆粒膜細胞腫瘍、及び上記腫瘍の混合型から選択されることを特徴とする、請求項１〜４のいずれか１項に記載の診断方法。
【請求項７】
腫瘍が子宮頚癌であることを特徴とする、請求項１〜６のいずれか１項に記載の診断方法。
【請求項８】
腫瘍、好ましくは生殖系腫瘍の追加のマーカー、特にα−フェトプロテイン、ヒト絨毛性ゴナドトロピンのβ−サブユニット、乳酸脱水素酵素、上皮成長因子、ＮＥＳ−１、ｉ（１２ｐ）、ＰＡＰ病期分類、扁平上皮癌抗原（ＳＣＣ）、又はこれらの組み合わせをサンプル中で測定することを特徴とする、請求項１〜７のいずれか１項に記載の診断方法。
【請求項９】
追加のマーカーが、ＣＡ１２５、リゾホスファチジン酸（ＬＰＡ）、ＣＡ１３０、又はα−葉酸受容体であることを特徴とする、請求項８に記載の診断方法。
【請求項１０】
生殖器腫瘍の無い個人から採取したサンプル中のアファミン含量よりも少なくとも１０％少ない場合、好ましくは少なくとも３０％少ない場合、特に少なくとも５０％少ない場合、サンプル中のアファミン含量が減少しているとみなすことを特徴とする、請求項１〜９のいずれか１項に記載の診断方法。
【請求項１１】
生殖器腫瘍の無い個人から採取したサンプル中のアファミン含量よりも少なくとも２０％少ない場合、好ましくは少なくとも４０％少ない場合、特に少なくとも６０％少ない場合、サンプル中のアファミン含量が減少しているとみなすことを特徴とする、請求項１〜９のいずれか１項に記載の診断方法。
【請求項１２】
生殖器腫瘍の無い個人が、血清１リットルあたりのアファミン含量が５０〜７０ｍｇ、特に６０ｍｇの健常者であることを特徴とする、請求項１〜１１のいずれか１項に記載の診断方法。
【請求項１３】
体液サンプル又は組織サンプルが、血液、血清、血漿、脳脊髄液、精液、卵胞液、卵巣、精巣、又は精巣上体から選択されることを特徴とする、請求項１〜１２のいずれか１項に記載の診断方法。
【請求項１４】
アファミン含量を抗アファミン抗体、特にモノクローナル抗体で測定することを特徴とする、請求項１〜１３のいずれか１項に記載の診断方法。
【請求項１５】
抗体が、検出マーカー、好ましくは発色マーカー、蛍光マーカー、又は放射性マーカーを含むことを特徴とする、請求項１４に記載の診断方法。
【請求項１６】
生殖器腫瘍を診断するためのアファミン検出手段及び基準アファミンを含む、体液サンプル又は組織サンプル中のアファミン量を測定するためのキット。
【請求項１７】
請求項１〜１５のいずれか１項に記載の方法に使用することを特徴とする、請求項１６に記載のキット。
【請求項１８】
標準化量のアファミンを含有することを特徴とする、請求項１６又は１７に記載のキット。
【手続補正書】
【提出日】平成20年12月10日(2008.12.10)
【手続補正１】
【補正対象書類名】特許請求の範囲
【補正対象項目名】全文
【補正方法】変更
【補正の内容】
【特許請求の範囲】
【請求項１】
標的の肺小室を評価するシステムであって、該システムは、
標的の肺小室を隔離する手段及び標的の肺部分に不活性ガスを注入する手段を有し、標的の肺小室に導通している肺気道の内部に設置することができる器具と、
該器具に設けられ、標的の肺部分の内部の圧力を測定する手段と、
標的の肺部分の内部の不活性ガスの濃度を測定する手段と、を備えたことを特徴とする標的の肺小室を評価するシステム。
【請求項２】
さらに、過膨張の程度、肺のコンプライアンス、側副抵抗のうちの少なくとも１つを、測定された圧力及び不活性ガスの濃度に基づいて計算するプロセッサを備えている請求項１に記載のシステム。
【請求項３】
前記圧力の測定は、所定の期間に亘る複数の圧力の測定値を生成することを含んでいる、請求項１又は２に記載のシステム。
【請求項４】
前記所定の期間は、約１分間であることを特徴とする、請求項３に記載のシステム。
【請求項５】
不活性ガスの濃度の測定は、所定の期間に亘る不活性ガスの濃度の複数の測定値を生成することを含んでいる、請求項１乃至４の何れか１項に記載のシステム。
【請求項６】
前記所定の期間は、約１分間であることを特徴とする、請求項５に記載のシステム。
【請求項７】
さらに、不活性ガスとして使用されるヘリウム源を備えている、請求項１に記載のシステム。
【請求項８】
標的の肺小室を処置するために患者を評価する方法であって、
少なくとも１つの測定値に基づいて、標的の肺小室への側副換気のレベルを計算する段階と、
計算された側副換気のレベルに基づいて、患者を処置する段階と、を備えたことを特徴とする方法。
【手続補正２】
【補正対象書類名】図面
【補正対象項目名】全図
【補正方法】変更
【補正の内容】
【図１Ａ】
2008528105.tif 000001
【図１Ｂ】
2008528105.tif 000002
【図１Ｃ】
2008528105.tif 000003
【図２Ａ】
2008528105.tif 000004
【図２Ｂ】
2008528105.tif 000005
【図３Ａ】
2008528105.tif 000006
【図３Ｂ】
2008528105.tif 000007
【図３Ｃ】
2008528105.tif 000008
【図４Ａ−Ｂ】
2008528105.tif 000009
【図４Ｃ−Ｄ】
2008528105.tif 000010
【図５Ａ−Ｂ】
2008528105.tif 000011
【図５Ｃ−Ｄ】
2008528105.tif 000012
【図６】
2008528105.tif 000013
【図７Ａ】
2008528105.tif 000014
【図７Ｂ】
2008528105.tif 000015
【図８Ａ−Ｂ−Ｃ】
2008528105.tif 000016
【図９Ａ−Ｂ−Ｃ】
2008528105.tif 000017
【図１０Ａ−Ｂ】
2008528105.tif 000018
【図１１Ａ−Ｂ】
2008528105.tif 000019
【図１１Ｃ−Ｄ】
2008528105.tif 000020
【図１２Ａ】
2008528105.tif 000021
【図１２Ｂ】
2008528105.tif 000022
【図１２Ｃ−Ｄ−Ｅ】
2008528105.tif 000023
【図１３Ａ−Ｂ−Ｃ】
2008528105.tif 000024
【図１４Ａ】
2008528105.tif 000025
【図１４Ｂ】
2008528105.tif 000026
【図１５】
2008528105.tif 000027
【図１６Ａ】
2008528105.tif 000028
【図１６Ｂ】
2008528105.tif 000029
【図１７】
2008528105.tif 000030
【図１８Ａ】
2008528105.tif 000031
【図１８Ｂ】
2008528105.tif 000032
【図１８Ｃ】
2008528105.tif 000033
【図１９】
2008528105.tif 000034
【図２０Ａ】
2008528105.tif 000035
【図２０Ｂ】
2008528105.tif 000036
【図２１Ａ】
2008528105.tif 000037
【図２１Ｂ】
2008528105.tif 000038
【図２１Ｃ】
2008528105.tif 000039
【図２２Ａ】
2008528105.tif 000040
【図２２Ｂ−Ｃ】
2008528105.tif 000041
【図２３Ａ】
2008528105.tif 000042
【図２３Ｂ−Ｃ】
2008528105.tif 000043
【図２４Ａ】
2008528105.tif 000044
【図２４Ｂ−Ｃ】
2008528105.tif 000045
【図２５Ａ】
2008528105.tif 000046
【図２５Ｂ】
2008528105.tif 000047
【図２５Ｃ】
2008528105.tif 000048
【図２６】
2008528105.tif 000049
【図２７】
2008528105.tif 000050
【図２８】
2008528105.tif 000051
【図２９】
2008528105.tif 000052
【手続補正書】
【提出日】平成21年10月2日(2009.10.2)
【手続補正１】
【補正対象書類名】特許請求の範囲
【補正対象項目名】全文
【補正方法】変更
【補正の内容】
【特許請求の範囲】
【請求項１】
患者のデータを管理するシステムであって、該システムは、
複数の器具を備え、各器具は、
該複数の器具のうちの第１の器具と第２の器具との間の直接的な電気的な双方向通信を容易にする通信モジュールであって、該直接的な電気的な双方向通信は、該第２の器具による該第１の器具の制御と、該第１の器具による該第２の器具の制御とを含む、通信モジュールと、
患者から体液をサンプリングし、そこからデータを獲得するサンプリング部材と
を備える、システム。
【請求項２】
前記第２の器具と電気的な双方向通信を行う前記第１の器具は、該第１の器具の通信モジュールを用いることにより、該第２の器具上の患者のデータにアクセスする、請求項１に記載のシステム。
【請求項３】
前記第２の器具による前記第１の器具の制御は、該第１の器具を較正することを含む、請求項１に記載のシステム。
【請求項４】
前記複数の器具のうちの前記第１の器具は、該複数の器具のうちの少なくとも前記第２の器具および第３の器具と電気的な双方向通信を行う、請求項１に記載のシステム。
【請求項５】
前記サンプリング部材は、前記体液サンプルにおける標的成分を分析することによって、患者のデータを取得する分析モジュールをさらに備えている、請求項１に記載のシステム。
【請求項６】
前記第２の器具による前記第１の器具の制御は、該第１の器具の分析モジュールを用いることにより、該第１の器具上の患者のサンプル内の検体の測定を開始することを含む、請求項５に記載のシステム。
【請求項７】
前記患者のデータは、分析された標的成分を含む、請求項２に記載のシステム。
【請求項８】
前記患者のデータにアクセスすることは、前記第１の器具のディスプレイ上で前記第２の器具の状態を見ることと、該第１の器具のディスプレイ上で該第２の器具の動作を見ることと、該第１の器具のディスプレイを用いることにより、該第２の器具の患者の分析結果をサーチすることとからなるグループから選択される、請求項２に記載のシステム。
【請求項９】
前記複数の器具のうちの前記第１の器具は、体液サンプルの分析を管理し、患者のデータを管理するためのディスプレイを含むユーザーインターフェイスをさらに備えている、請求項１に記載のシステム。
【請求項１０】
前記第１の器具の前記ディスプレイは、
該第１の器具のサンプリング部材によって取得された患者のデータと、
前記第２の器具のサンプリング部材によって取得され、該第１の器具によってアクセスされる患者のデータと
を含む情報を共通のフォーマットで表示する、請求項９に記載のシステム。
【請求項１１】
前記患者のデータは、ブラウザアプリケーションを使用して前記ディスプレイ上に表示される、請求項９に記載のシステム。
【請求項１２】
前記第１の器具と前記第２の器具との間の直接的な電気的な双方向通信は、サーバの助けを借りずに行われる、請求項１に記載のシステム。
【請求項１３】
前記複数の器具のうちの少なくとも１つの器具は、第１の検体を分析するためのサプリング部材を含み、該複数の器具のうちの別の器具は、第２の検体を分析するためのサンプリング部材を含む、請求項１に記載のシステム。
【請求項１４】
前記第２の器具による前記第１の器具の制御は、該第２の器具が該第１の器具に該第１の器具上のサンプルを処理するように命令することを含む、請求項１に記載のシステム。
【請求項１５】
前記第２の器具による前記第１の器具の制御は、該第２の器具が該第１の器具をスイッチオンすることを含む、請求項１に記載のシステム。
【請求項１６】
前記第２の器具による前記第１の器具の制御は、該第２の器具が該第１の器具をスイッチオフすることを含む、請求項１に記載のシステム。
【請求項１７】
前記第２の器具による前記第１の器具の制御は、該第２の器具が分析結果に対する所定の範囲にしたがって該第１の器具を構成することを含む、請求項１に記載のシステム。
【請求項１８】
前記複数の器具のうちの少なくとも２つの器具は異種である、請求項１に記載のシステム。